(57)【要約】【課題】  身体の各部に対する指圧按摩を容易に行なえ、且つ身体各部に合わせて簡単に調整でき、折り畳めて場所を取らず、操作が楽な指圧按摩棒の提供。【解決手段】  施力棒、手持ち棒、延伸棒及びフック棒が枢設されてなり、各棒間が展開或いは折り畳み可能とされ且つ展開位置決め後の施力棒、手持ち棒、延伸棒及びフック棒の間に、大角曲げ角、直角曲げ角、小角曲げ角が形成され、且つ手持ち棒、延伸棒は内側に開溝を具え、その内部に収容室があり、施力棒、フック棒が内向きに折り畳まれる時に完全に収容室内に収容され、施力棒、フック棒が内向きに折り畳まれた後、手持ち棒、延伸棒が更に内向きに折り畳まれ、施力棒とフック棒の外端に円球端が設けられている。【選択図】        図５
0003104104.tif 000002
【実用新案登録請求の範囲】
【請求項１】
施力棒、手持ち棒、延伸棒及びフック棒が枢設されてなり、棒体間が展開或いは折り畳み可能で、手持ち棒、延伸棒に内側に向けて開溝が設けられ、その内部に収容室があり、施力棒、フック棒が内向きに折り畳まれる時に完全に収容室内に収容され、施力棒、フック棒が内向きに折り畳まれた後、手持ち棒、延伸棒が更に内向きに交互に折り畳まれ、且つ全体が展開された後の施力棒、手持ち棒、延伸棒及びフック棒の棒体間に大角曲げ角、直角曲げ角、小角曲げ角が順に形成され、且つ施力棒とフック棒の外端にそれぞれ円球端が設けられ、展開後に操作者が両手で手持ち棒、施力棒を握持し、且つ延伸棒の延伸を利用し、及びフック棒末端の円球端で指圧箇所を指圧でき、施力棒を外向きに施力することにより指圧按摩を行なえるよう形成されたことを特徴とする、指圧按摩棒。
【請求項２】
請求項１記載の指圧按摩棒において、施力棒と手持ち棒間の大角曲げ角の角度は１２０度から１３５度とされ、手持ち棒と延伸棒間の直角曲げ角の角度は９０度とされ、延伸棒とフック棒間の小角曲げ角の角度は７０度から７５度とされることを特徴とする、指圧按摩棒。
【請求項３】
請求項１記載の指圧按摩棒において、施力棒と手持ち棒間、延伸棒とフック棒間の枢設に挿通部品による枢設が利用され、施力棒とフック棒の基部に基端が設けられ、基端が手持ち棒、延伸棒の内部に組み込まれ、且つ挿通部品の挿通により枢設され、且つその間の回転が随意に位置決め可能とされ、それぞれ大角曲げ角、小角曲げ角に展開される時、手持ち棒、延伸棒の外側壁端が基端に係止され位置決めされることを特徴とする、指圧按摩棒。
【請求項４】
請求項３記載の指圧按摩棒において、フック棒にロックボタンが設けられ、フック棒の基端部分の上方に凹孔が設けられ、且つ凹孔内に弾性体と係止球が設けられ、並びに係止球が凹孔より突出し且つ凹孔より脱出不能とされ、フック棒が延伸棒の収容室内に収容される時、係止球が下向きに弾性体を圧迫し、フック棒が延伸棒の収容室外に移されて延伸棒の外側壁端が基端を係止する時、係止球が基端の表面より突出して延伸棒の側縁を係止し、こうして位置決めロックの機能を形成することを特徴とする、指圧按摩棒。
【請求項５】
請求項４記載の指圧按摩棒において、手持ち棒と延伸棒間の枢設にブロック体による連接が使用され、それは挿通部品が通された後に手持ち棒、延伸棒間を回転に伴い随意に位置決め可能とし、また展開され直角状とされた後の手持ち棒、延伸棒の内側壁端が該ブロック体に係止され位置決めされることを特徴とする、指圧按摩棒。
【考案の詳細な説明】
【技術分野】
【０００１】
本考案は一種の指圧按摩棒に係り、特に、棒体が適当な角度に曲げられる多段式枢設設計とされ、どの部分に対しても指圧按摩が行なえ、且つ折り畳めて収納及び携帯に便利な指圧按摩棒に関する。
【背景技術】
【０００２】
図１に示される周知の指圧按摩棒は、フック棒１０、グリップ２０、及び押圧体３０で組成され、フック棒１０が弾性材質で製造され、且つ単に折り曲げられて鉤状に形成されたものとされ、ゆえにその実際の指圧按摩力は不足し、使用時には片手で操作され、このため按摩力が不足する欠点が更に明らかとなる。図２に示される別の周知の指圧按摩棒は、指圧按摩力が図１に較べて増されているが、単に湾曲設計を採用しているだけで、そのグリップ４０及び按摩ヘッド５０部分に別の折り曲げ設計はなく、ゆえに実際の使用後乱流板５、適用可能な指圧按摩部分は有限であり、腰の一側を指圧按摩した後に腰の別側を指圧按摩したい時には反対方向に持ち換えて按摩しなければならず、不便であり、且つ指圧按摩力はグリップ４０部分に大きな力を加えることで達成され、操作上、力が要り、特に女性にとっては使いにくい。図３に示されるまた別の周知の指圧按摩棒は、前端に指圧回転輪６０が設けられ、回転の機能を達成しているが、前述の欠点、即ち施力を大きくする必要があり、且つ全ての部位に適用することはできないことが依然として存在し、且つ図１、２の周知の技術は、その実施上、押す効果「按」はあっても、さする効果「摩」はなく、図３のものは、「摩」の操作は行なえるが、「按」の作用はなく、ゆえにいずれも実益がなく、且つこれらは折り畳み不能で、収納及び携帯上、極めて不便である。ゆえに、これらの周知の技術は改良の必要がある。
【考案の開示】
【考案が解決しようとする課題】
【０００３】
本考案は以上の周知の技術の欠点を鑑み、その克服のために提供され、即ち、本考案は人体工学に符合し操作が簡単に行なえ、身体の各部位の指圧按摩に適用でき、且つ折り畳んで携帯できる指圧按摩棒を提供するものである。
【課題を解決するための手段】
【０００４】
請求項１の考案は、施力棒、手持ち棒、延伸棒及びフック棒が枢設されてなり、棒体間が展開或いは折り畳み可能で、手持ち棒、延伸棒に内側に向けて開溝が設けられ、その内部に収容室があり、施力棒、フック棒が内向きに折り畳まれる時に完全に収容室内に収容され、施力棒、フック棒が内向きに折り畳まれた後、手持ち棒、延伸棒が更に内向きに交互に折り畳まれ、且つ全体が展開された後の施力棒、手持ち棒、延伸棒及びフック棒の棒体間に大角曲げ角、直角曲げ角、小角曲げ角が順に形成され、且つ施力棒とフック棒の外端にそれぞれ円球端が設けられ、展開後に操作者が両手で手持ち棒、施力棒を握持し、且つ延伸棒の延伸を利用し、及びフック棒末端の円球端で指圧箇所を指圧でき、施力棒を外向きに施力することにより指圧按摩を行なえるよう形成されたことを特徴とする、指圧按摩棒としている。
請求項２の考案は、請求項１記載の指圧按摩棒において、施力棒と手持ち棒間の大角曲げ角の角度は１２０度から１３５度とされ、手持ち棒と延伸棒間の直角曲げ角の角度は９０度とされ、延伸棒とフック棒間の小角曲げ角の角度は７０度から７５度とされることを特徴とする、指圧按摩棒としている。
請求項３の考案は、請求項１記載の指圧按摩棒において、施力棒と手持ち棒間、延伸棒とフック棒間の枢設に挿通部品による枢設が利用され、施力棒とフック棒の基部に基端が設けられ、基端が手持ち棒、延伸棒の内部に組み込まれ、且つ挿通部品の挿通により枢設され、且つその間の回転が随意に位置決め可能とされ、それぞれ大角曲げ角、小角曲げ角に展開される時、手持ち棒、延伸棒の外側壁端が基端に係止され位置決めされることを特徴とする、指圧按摩棒としている。
請求項４の考案は、請求項３記載の指圧按摩棒において、フック棒にロックボタンが設けられ、フック棒の基端部分の上方に凹孔が設けられ、且つ凹孔内に弾性体と係止球が設けられ、並びに係止球が凹孔より突出し且つ凹孔より脱出不能とされ、フック棒が延伸棒の収容室内に収容される時、係止球が下向きに弾性体を圧迫し、フック棒が延伸棒の収容室外に移されて延伸棒の外側壁端が基端を係止する時、係止球が基端の表面より突出して延伸棒の側縁を係止し、こうして位置決めロックの機能を形成することを特徴とする、指圧按摩棒としている。
請求項５の考案は、請求項４記載の指圧按摩棒において、手持ち棒と延伸棒間の枢設にブロック体による連接が使用され、それは挿通部品が通された後に手持ち棒、延伸棒間を回転に伴い随意に位置決め可能とし、また展開され直角状とされた後の手持ち棒、延伸棒の内側壁端が該ブロック体に係止され位置決めされることを特徴とする、指圧按摩棒としている。
【考案の効果】
【０００５】
本考案の指圧按摩棒は、使用者の身体の全ての部分を指圧按摩できる設計とされ、多段式の適当な角度の折り曲げ枢設設計により、各部分に対する指圧按摩を行なえ、特定の部分に限定されず、且つ多段式の設計により施力点と指圧按摩点に梃子の原理が応用され、僅かな施力で大きな指圧按摩効果をあげることができ、操作が楽で明らか効果を達成でき、また頸部や足裏の按摩も行なえ、且つ折り畳んで収納することができる。ゆえに本考案は実用的で優れた機能を具えている。
【０００６】
総合すると、本考案は周知の技術の欠点を克服し、産業上の利用性、新規性及び進歩性を有している。なお、以下の実施例の説明は本考案の請求範囲を限定するものではなく、本考案に基づきなしうる細部の修飾或いは改変は、いずれも本考案の請求範囲に属するものとする。
【考案を実施するための最良の形態】
【０００７】
本考案の指圧按摩棒は、施力棒、手持ち棒、延伸棒及びフック棒が枢設されてなり、各棒間が展開或いは折り畳み可能とされ且つ展開位置決め後の施力棒、手持ち棒、延伸棒及びフック棒の間に、大角曲げ角、直角曲げ角、小角曲げ角が形成され、且つ手持ち棒、延伸棒は内側に開溝を具え、その内部に収容室があり、施力棒、フック棒が内向きに折り畳まれる時に完全に収容室内に収容され、施力棒、フック棒が内向きに折り畳まれた後、手持ち棒、延伸棒が更に内向きに折り畳まれ、施力棒とフック棒の外端に円球端が設けられている。以上の多段式の適当な角度の折り曲げ設計により、身体の各部分の指圧按摩に適用され、特定の部分に限定されず、頸部及び足裏等にも使用でき、また多段式折り曲げの設計により、梃子の原理により簡単に操作でき、また、不使用時に折り曲げて収納できる。
【実施例１】
【０００８】
図４、５に示されるように、本考案の指圧按摩棒１は、施力棒１１、手持ち棒１２、延伸棒１３及びフック棒１４が枢設されてなり、各棒間が展開或いは折り畳み可能とされ且つ展開位置決め後の施力棒１１、手持ち棒１２、延伸棒１３及びフック棒１４の間に、大角曲げ角１５、直角曲げ角１６、小角曲げ角１７が形成され、該大角曲げ角１５は９０度より大きく、小角曲げ角１７は９０度より小さい。且つ施力棒１１とフック棒１４の外端にそれぞれ円球端２がある。棒間は枢設されて展開して使用（図６）、或いは折り畳んで携帯に便利とすることができる（図７）。
【０００９】
施力棒１１、手持ち棒１２の大角曲げ角１５の角度は１２０度から１３５度が好ましく、手持ち棒１２、延伸棒１３の直角曲げ角１６の角度は９０度が最も好ましく、また延伸棒１３、フック棒１４の小角曲げ角１７の角度は７０度から７５度が最も好ましい。
【００１０】
このほか、手持ち棒１２、延伸棒１３は内側に向けて開溝が設けられ、その内部に収容室３があり、且つ施力棒１１、フック棒１４が内向きに折り畳まれる時、完全に手持ち棒１２、延伸棒１３の収容室３内に収容され、また、施力棒１１、フック棒１４が内向きに収容された後、更に手持ち棒１２、延伸棒１３を交互に内向きに折り畳むことができる（図７）。
【００１１】
施力棒１１と手持ち棒１２、延伸棒１３及びフック棒１４間の枢設には挿通部品４（例えばリベット、ネジとされ、図示される実施例ではリベットが使用されている）の挿通が利用され、施力棒１１とフック棒１４の基部に基端１１１、１４１が設けられ、基端１１１、１４１が手持ち棒１２、延伸棒１３の内部に組み付けられ、且つ挿通部品４の挿通により枢設され、且つその間の回転は一定の緊迫度を有し、回転して随意に位置決めできる機能を具えている。また、それぞれ大角曲げ角１５及び小角曲げ角１７に展開させる時、手持ち棒１２、延伸棒１３の外側壁端１２１、１３１が基端１１１、１４１に係止されて位置決めされ（図８、９）、且つフック棒１４にロックボタン５（図８、９）が設けられ、フック棒１４の基端１４１部分の上方に凹孔１４１１が設けられ、且つ凹孔１４１１内に弾性体５１と係止球５２が設けられ、並びに係止球５２が凹孔１４１１より突出し且つ凹孔１４１１より脱出不能とされ、フック棒１４が延伸棒１３の収容室３内に収容される時、係止球５２が下向きに弾性体５１を圧迫し、フック棒１４が延伸棒１３の収容室３外に移されて延伸棒１３の外側壁端１３１が基端１４１を係止する時、係止球５２が基端１４１の表面より突出して延伸棒１３の側縁を係止し、こうして位置決めロックの機能を形成し、按摩時の強固性が増されている。
【００１２】
また、手持ち棒１２、延伸棒１３間の枢設は、その間がブロック体１６で連接されてもよく、それは挿通部品４が通された後に手持ち棒１２、延伸棒１３間の回転に一定の緊迫度を具備させることができ、回転に伴い随意に位置決めできる機能を達成する。また直角曲げ角１６に展開した後、手持ち棒１２、延伸棒１３の内側壁端１２２、１３２がブロック体１６に係止、位置決めされ、また施力棒１１、フック棒１４が内向きに折り畳まれ、更に手持ち棒１２、延伸棒１３が交互に折り畳まれる時、ブロック体６を回転軸として内向きに折り畳まれ、折り畳みが完成する。その折り畳み状況は図７のようであり、収納及び携帯に便利である。
【００１３】
以上の構造設計を受けて、本考案の指圧按摩棒が使用される時、その多段式曲げ角の組合せ設計、即ち、施力棒１１、手持ち棒１２、延伸棒１３及びフック棒１４の棒間の湾曲枢設、及び展開後に大角曲げ角１５、直角曲げ角１６、小角曲げ角１７を形成する設計により、展開後の全体が略Ｌ状とされるが、その両端に更に施力棒１１とフック棒１４を具え、且つそれぞれ大角曲げ角１５、小角曲げ角１７の曲げ角を有する設計により、人体工学に符合し、操作者両手でそれぞれ手持ち棒１２、施力棒１１を握持し、且つ延伸棒１３を身体（後方）に向けて延伸し、及び、施力棒１１を外向きに施力することにより、フック棒１４末端の円球端２を利用し、指圧したい部分を指圧按摩することができる。且つ身体各部に対する指圧按摩はいずれも調整しやすい。本考案は使用操作を、図１０、１１に示されるように、直立して後ろ向きに実施するか、或いは図１２、１３に示されるように、水平方向に実施することができ、且つ同一方向時に延伸の深さを変化させることができ、反対方向に持ち換える必要がない（図１２、１３）。また、図１４に示されるように、直角曲げ角１６部分の手持ち棒１２、延伸棒１３に力をゆるめて使用者の頸部を押圧したり、或いは図１５に示されるように、直接フック棒１４末端の円球端２で足裏を按摩することもできる。こうして指圧按摩棒の新構造が構成され、且つフック棒１４末端の円球端２による「按」の垂直動作だけでなく、手持ち棒１２、施力棒１１の移動による「摩」の横向き動作も達成でき、ゆえに用途が極めて広く、且つ効果が良好である。さらに、不使用時には施力棒１１、フック棒１４を内向きに折り畳んだ後、さらに手持ち棒１２、延伸棒１３を内向きに交互に折り畳めば、折り畳みが完成し（図７）、体積を極めて小さくすることができ、収納及び携帯に便利である。
【図面の簡単な説明】
【００１４】
【図１】周知の按摩棒の立体図である。
【図２】周知の別の按摩棒の立体図である。
【図３】周知のさらに別の按摩棒の立体図である。
【図４】本考案の立体分解図である。
【図５】本考案の立体組合せ図である。
【図６】本考案の展開動作及び展開後の構造の平面図である。
【図７】本考案の折り畳み後の平面図である。
【図８】本考案のロックボタンを具えた立体実施例図である。
【図９】本考案のロックボタンの動作表示図である。
【図１０】本考案の実施例の動作表示図である。
【図１１】本考案の実施例の動作表示図である。
【図１２】本考案の実施例の動作表示図である。
【図１３】本考案の実施例の動作表示図である。
【図１４】本考案の実施例の動作表示図である。
【図１５】本考案の実施例の動作表示図である。
【符号の説明】
【００１５】
１０  フック棒                      ２０  グリップ
３０  押圧体                        ４０  グリップ
５０  按摩ヘッド                    ６０  指圧回転輪
１  指圧按摩棒                      １１  施力棒
１１１  基端                        １２  手持ち棒
１２１  外側壁端                    １２２  内側壁端
１３  延伸棒                        １３１  外側壁端
１３２  内側壁端                    １４  フック棒
１４１  基端                        １４１１  凹孔
１５  大角曲げ角                    １６  直角曲げ角
１７  小角曲げ角
２  円球端                          ３  収容室
４  挿通部品                        ５  ロックボタン
５１  弾性体                        ５２  係止球
６  ブロック体
【図１】
0003104104.tif 000003
【図２】
0003104104.tif 000004
【図３】
0003104104.tif 000005
【図４】
0003104104.tif 000006
【図５】
0003104104.tif 000007
【図６】
0003104104.tif 000008
【図７】
0003104104.tif 000009
【図８】
0003104104.tif 000010
【図９】
0003104104.tif 000011
【図１０】
0003104104.tif 000012
【図１１】
0003104104.tif 000013
【図１２】
0003104104.tif 000014
【図１３】
0003104104.tif 000015
【図１４】
0003104104.tif 000016
【図１５】
0003104104.tif 000017